【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
標準ダイナミックレンジ（ＳＤＲ）画像から決定される露出過度領域の少なくとも１つのピクセルについての補正された輝度値を決定するステップを有し、
前記補正された輝度値は、前記露出過度領域の形状、及び前記露出過度領域を囲むピクセルのエッジ情報、のうちの少なくとも１つに基づき、決定される、
画像処理方法。
【請求項２】
標準ダイナミックレンジ（ＳＤＲ）画像から決定される露出過度領域の少なくとも１つのピクセルについての補正された輝度値を決定するよう構成されるプロセッサを有し、
前記補正された輝度値は、前記露出過度領域の形状、及び前記露出過度領域を囲むピクセルのエッジ情報、のうちの少なくとも１つに基づき、決定される、
画像処理装置。
【請求項３】
前記露出過度領域は、不整形な領域である、
請求項１に記載の画像処理方法。
【請求項４】
前記露出過度領域のタイプを決定し、該露出過度領域のタイプに基づき前記補正された輝度値を決定することを更に有する
請求項１に記載の画像処理方法。
【請求項５】
前記タイプは、鏡面ハイライト領域、散光、又は光源、のうちの１つである、
請求項４に記載の画像処理方法。
【請求項６】
前記輝度値は、前記露出過度領域のスケルトンに基づき補正される、
請求項１に記載の画像処理方法。
【請求項７】
前記輝度値は、前記スケルトン沿いのピクセルのピーク輝度に基づき補正される、
請求項１に記載の画像処理方法。
【請求項８】
前記輝度値は、前記露出過度領域を囲むピクセルの環に基づき補正される、
請求項１に記載の画像処理方法。
【請求項９】
前記輝度値は、前記ピクセルの環に基づき決定されるエッジに基づき補正される、
請求項８に記載の画像処理方法。
【請求項１０】
前記輝度値は、前記ピクセルの環に基づき決定される方向ベクトルに基づき補正される、
請求項８に記載の画像処理方法。
【請求項１１】
前記方向ベクトルは、前記ピクセルの環のアイソフォトベクトルに基づき決定される、
請求項１０に記載の画像処理方法。
【請求項１２】
前記方向ベクトルは、前記ピクセルの環の勾配に基づき決定される、
請求項１０に記載の画像処理方法。
【請求項１３】
前記輝度値は、エッジピクセルでの輝度Ｌ（ｐｊ）、前記エッジピクセルの勾配ｇｊ、前記エッジピクセルと内部ピクセルとの間の距離、及びユーザパラメータηに基づき、
【数１】
2017050864.tif 000001
のように補正される、
請求項１に記載の画像処理方法。
【請求項１４】
前記輝度値は、前記露出過度領域のスケルトンでの輝度Ｌ（ｓｊ）、エッジピクセルでの輝度Ｌ（ｐｊ）、前記エッジピクセルと内部ピクセルとの間の距離、前記エッジピクセルとスケルトンピクセルとの間の距離、及びユーザパラメータηに基づき、
【数２】
2017050864.tif 000002
のように補正される、
請求項１に記載の画像処理方法。
【請求項１５】
最適化された輝度値Ｌ′（ｏｉ）と、エッジピクセルの輝度Ｌ（ｐｊ）と、入力画像の輝度値Ｌｏｒｉｇ（ｏｉ）と、スケルトンピクセルの最適化された輝度値Ｌ′（ｓ（ｙ））と、方向ベクトルｄｊと、閾値Ｔ１、Ｔ２、Ｔ３と、スカラーｔ１及びｔ２との間の関係に基づく次の制約
【数３】
2017050864.tif 000003
のうちの１つ以上に従う最適化
【数４】
2017050864.tif 000004
に基づき、前記補正された輝度値を精緻化することさらに有する
請求項１に記載の画像処理方法。
【手続補正２】
【補正対象書類名】明細書
【補正対象項目名】０１２８
【補正方法】変更
【補正の内容】
【０１２８】
加えて、本願又はその特許請求の範囲は、様々な情報片を“受け取る”ことに言及してよい。受け取ることは、“アクセス”することと同様に、広義の語であるよう意図される。情報を受け取ることは、例えば、情報にアクセスすること、又は情報を（例えば、メモリから）取り出すこと、のうちの１つ以上を含んでよい。更に、“受け取る”ことは、例えば、情報を記憶すること、情報を処理すること、情報を送信すること、情報を移動すること、情報をコピーすること、情報を消去すること、情報を計算すること、情報を決定すること、情報を予測すること、又は情報を推定することのような動作の間に通常は何らかの方法で関連する。
上記実施形態の一部又は全部は、以下の付記のようにも記載され得るが、以下には限定されない。
（付記１）
標準ダイナミックレンジ（ＳＤＲ）画像から決定される露出過度領域の少なくとも１つのピクセルについての補正された輝度値を決定するステップを有し、
前記補正された輝度値は、前記露出過度領域の形状、及び前記露出過度領域を囲むピクセルのエッジ情報、のうちの少なくとも１つに基づき、決定される、
画像処理方法。
（付記２）
標準ダイナミックレンジ（ＳＤＲ）画像から決定される露出過度領域の少なくとも１つのピクセルについての補正された輝度値を決定するよう構成されるプロセッサを有し、
前記補正された輝度値は、前記露出過度領域の形状、及び前記露出過度領域を囲むピクセルのエッジ情報、のうちの少なくとも１つに基づき、決定される、
画像処理装置。
（付記３）
前記露出過度領域は、不整形な領域である、
付記１に記載の画像処理方法又は付記２に記載の画像処理装置。
（付記４）
前記露出過度領域のタイプを決定し、該露出過度領域のタイプに基づき前記補正された輝度値を決定することを更に有する
付記１に記載の画像処理方法又は付記２に記載の画像処理装置。
（付記５）
前記タイプは、鏡面ハイライト領域、散光、又は光源、のうちの１つである、
付記４に記載の画像処理方法又は画像処理装置。
（付記６）
前記輝度値は、前記露出過度領域のスケルトンに基づき補正される、
付記１に記載の画像処理方法又は付記２に記載の画像処理装置。
（付記７）
前記輝度値は、前記スケルトン沿いのピクセルのピーク輝度に基づき補正される、
付記１に記載の画像処理方法又は請求項２に記載の画像処理装置。
（付記８）
前記輝度値は、前記露出過度領域を囲むピクセルの環に基づき補正される、
付記１に記載の画像処理方法又は付記２に記載の画像処理装置。
（付記９）
前記輝度値は、前記ピクセルの環に基づき決定されるエッジに基づき補正される、
付記８に記載の画像処理方法又は画像処理装置。
（付記１０）
前記輝度値は、前記ピクセルの環に基づき決定される方向ベクトルに基づき補正される、
付記８に記載の画像処理方法又は画像処理装置。
（付記１１）
前記方向ベクトルは、前記ピクセルの環のアイソフォトベクトルに基づき決定される、
付記１０に記載の画像処理方法又は画像処理装置。
（付記１２）
前記方向ベクトルは、前記ピクセルの環の勾配に基づき決定される、
付記１０に記載の画像処理方法又は画像処理装置。
（付記１３）
前記輝度値は、エッジピクセルでの輝度Ｌ（ｐｊ）、前記エッジピクセルの勾配ｇｊ、前記エッジピクセルと内部ピクセルとの間の距離、及びユーザパラメータηに基づき、
【数２１】
2017050864.tif 000005
のように補正される、
付記１に記載の画像処理方法又は付記２に記載の画像処理装置。
（付記１４）
前記輝度値は、前記露出過度領域のスケルトンでの輝度Ｌ（ｓｊ）、エッジピクセルでの輝度Ｌ（ｐｊ）、前記エッジピクセルと内部ピクセルとの間の距離、前記エッジピクセルとスケルトンピクセルとの間の距離、及びユーザパラメータηに基づき、
【数２２】
2017050864.tif 000006
のように補正される、
付記１に記載の画像処理方法又は付記２に記載の画像処理装置。
（付記１５）
最適化された輝度値Ｌ′（ｏｉ）と、エッジピクセルの輝度Ｌ（ｐｊ）と、入力画像の輝度値Ｌｏｒｉｇ（ｏｉ）と、スケルトンピクセルの最適化された輝度値Ｌ′（ｓ（ｙ））と、方向ベクトルｄｊと、閾値Ｔ１、Ｔ２、Ｔ３と、スカラーｔ１及びｔ２との間の関係に基づく次の制約
【数２３】
2017050864.tif 000007
のうちの１つ以上に従う最適化
【数２４】
2017050864.tif 000008
に基づき、前記補正された輝度値を精緻化することさらに有する
付記１に記載の画像処理方法又は付記２に記載の画像処理装置。